(57)【要約】【課題】必要に応じてブラジャーとしても手提げ袋としても利用できる手提げ袋兼用ブラジャーを提供すること。【解決手段】開閉可能な袋状とした左右のカップ部３を有するブラジャー本体１と、左半部２ａと右半部２ｂとに分離可能な袋部２とから成り、左半部２ａ及び右半部２ｂを分離してそれぞれ左右のカップ部３内にパッドとして収納可能である。左右のカップ部３の下縁に開閉可能な開口部を形成し、左半部２ａ及び右半部２ｂをそれぞれ左右のカップ部３の内部下縁に取付けても良い。【選択図】図６
2008115502.tif 000002
【特許請求の範囲】
【請求項１】
袋状とした左右のカップ部を有するブラジャー本体と、左半部と右半部を分離可能な袋部とから成り、該袋部の左半部及び右半部を分離してそれぞれ前記左右のカップ部内にパッドとして収納可能であることを特徴とした手提げ袋兼用ブラジャー。
【請求項２】
前記左右のカップ部の下縁に開閉可能な開口部を形成し、前記袋部の左半部及び右半部をそれぞれ左右のカップ部の内部下縁に取付けてある請求項１に記載の手提げ袋兼用ブラジャー。
【請求項３】
前記袋部の外面周囲及び前記ブラジャー本体の下縁に沿って、互いに着脱自在に係合される固定具を設け、前記袋部の外面周囲を取り巻くように前記ブラジャー本体を装着可能としてある請求項１又は２に記載の手提げ袋兼用ブラジャー。
【請求項４】
前記左右のカップ部の頂部に、互いに結索可能な左右の首紐の一端をそれぞれ着脱自在に取り付け、前記左右のカップ部の下縁に、前記首紐の一端を係止可能な係止部をそれぞれ設けてある請求項３に記載の手提げ袋兼用ブラジャー。
【発明の詳細な説明】
【技術分野】
【０００１】
本発明は、手提げ袋兼用ブラジャーに関する。
【背景技術】
【０００２】
使用しない時は小さく折り畳んで携帯し、旅先で荷物が増えた場合などには広げて、荷物を収納できる手提げ袋が既に商品化されている。
しかし、このような折り畳み式の手提げ袋は、単に嵩張らないよう小型化して持ち運ぶだけであり、下着等に変形することにより自然に身につけた状態で携帯できる手提げ袋は従来知られていなかった。
【発明の開示】
【発明が解決しようとする課題】
【０００３】
本発明が解決しようとする課題は、必要に応じてブラジャーとしても手提げ袋としても利用できる手提げ袋兼用ブラジャーを提供することにある。
【課題を解決するための手段】
【０００４】
本発明の手提げ袋兼用ブラジャーは、開閉可能な袋状とした左右のカップ部を有するブラジャー本体と、左半部と右半部とに分離可能な袋部とから成り、該袋部の左半部及び右半部を分離してそれぞれ前記左右のカップ部内にパッドとして収納可能である。
前記左右のカップ部の下縁に開閉可能な開口部を形成し、前記袋部の左半部及び右半部をそれぞれ左右のカップ部の内部下縁に取付けても良い。
【０００５】
また、前記袋部の外面周囲及び前記ブラジャー本体の下縁に沿って、互いに着脱自在に係合される固定具を設け、前記袋部の外面周囲を取り巻くように前記ブラジャー本体を装着可能としても良い。
この場合、前記左右のカップ部の頂部に、互いに結索可能な左右の首紐の一端をそれぞれ着脱自在に取り付け、前記左右のカップ部の下縁に、前記首紐の一端を係止可能な係止部をそれぞれ設けることがある。
【発明の効果】
【０００６】
請求項１に係る発明によれば、袋部の左半部及び右半部をパッドとしてカップ部内に収納すれば、ブラジャーとして身につけることができ、カップ部から取り出した袋部の左半部と右半部とを接合するだけで、旅先で荷物が増えた時などに手提げ袋として使用することも可能である。
請求項２に係る発明によれば、袋部の左半部及び右半部とカップ部とがばらばらにならないため、左半部及び右半部をカップ部に出し入れしやすい。
請求項３に係る発明によれば、手提げ袋形態にした時、ブラジャー本体を手提げ袋の外面に取り付けて飾りとして利用することができる。
請求項４に係る発明によれば、手提げ袋形態にした時、ブラジャーを装着する際に用いる首紐をブラジャー本体の外面に取り付けて結び合わせ、手提げ袋のリボン飾りとして利用できる。
【発明を実施するための最良の形態】
【０００７】
以下、本発明の実施例を図面に基づいて詳細に説明する。
図１は、ブラジャー形態としたときの正面図、図２は、ブラジャー形態とした時の断面図、図３は、手提げ袋に変形する際の第１段階を一面から見た図、図４は、手提げ袋に変形する際の第１段階を他面から見た図、図５は、手提げ袋に変形する際の第２段階を他面から見た図、図６は、手提げ袋形態とした時の一面から見た図、図７は、手提げ袋形態とした時の他面から見た図である。
本発明の手提げ袋兼用ブラジャーは、図６及び図７に示すように、ブラジャー本体１と、袋部２とから成る。
【０００８】
ブラジャー本体１は、図１に示すように、左右のカップ部３と、カップ部３の外側に延びるバック片４と、カップ部３の頂部に取付けられた左右の首紐５とを有する。
カップ部３は、図２及び図３に示すように、表布６と裏布７とを重ね、その下縁を除いた周縁を縫い合わせて袋状に形成してある。また、カップ部３の下縁において、表布６及び裏布７の対向する位置には、互いに着脱自在に係合されるスナップボタン等の固定具８が装着され、カップ部３の下縁は開閉可能な開口部となっている。
なお、カップ部３の表布６は装飾性の高いレース地等を用い、裏布７は肌触りの良い伸縮性が低い布を用いる。また、バック片４の表地はカップ部３の表布６と共布を用いるのが望ましい。
【０００９】
図１に示すように、首紐５の一端にはフック９が装着され、このフック９をカップ部３の頂部に設けたループ１５（図２参照）へ引っ掛けることにより、首紐５はカップ部３に着脱自在に取付けられる。ブラジャーを装着する際には、左右の首紐５を首の後で結索する。
左右のカップ部３の表面下縁において、バック片４の接合部近傍には、フック９を着脱自在に係合するための係止部１０を設けると共に、中央部寄りには、首紐５を挿通するための紐通し部１１を設けてある。
また、図３に示すように、ブラジャー本体１の下縁内面には、スナップボタン等の固定具１２の一側部材１２ａが適宜間隔をおいて取付けられている。
【００１０】
図３〜図７に示すように、袋部２は、側縁及び下縁を縫合すると共に、上端の左右両側にそれぞれ前後片に亘って手提げ部１４を一体に設けてある。
また、袋部２は、左半部２ａと右半部２ｂを中心線に沿って装着したスライドファスナー１３を介して接合して成り、スライドファスナー１３を外すと左半部２ａと右半部２ｂとを分離することができる。
さらに、図３に示すように、左半部２ａ及び右半部２ｂの前片（図３の正面側）の上端部（左右の手提げ部１４の基部間の上端部）が、それぞれカップ部３の表布６の内面下縁６ａに取付けられている。
また、図４及び図５に示すように、袋部２の外面周囲において、カップ部３への取付部分と同じ高さには、固定具１２の他側部材１２ｂがブラジャー本体１に設けた一側部材１２ａと対応するよう装着されている。
【００１１】
この手提げ袋兼用ブラジャーをブラジャーとして使用する時は、左半部２ａと右半部２ｂとを分離して折り畳み、図１及び図２に示すように、下縁の開口部から左右のカップ部３内にそれぞれパッドとして収納し、カップ部３の開口部を閉じる固定具８を係止する。
この時、左右の首紐５はカップ部３の上端に取付けておき、ブラジャー装着時に首の後で結ぶ。
【００１２】
一方、この手提げ袋兼用ブラジャーを手提げ袋として使用する際には、まず、図３及び図４に示すように、左半部２ａ及び右半部２ｂをカップ部３の下縁開口部から取り出して広げる。
次いで、図５に示すように、スライドファスナー１３を係合して左半部２ａと右半部２ｂとを接合し、袋部２の上端に取付けられたブラジャー本体１を、ブラジャー本体１の表布６が表面に表れるよう下方へ折り返す。
【００１３】
さらに、図６及び図７に示すように、ブラジャー本体１を袋部２の外面に周囲に巻きつけて、固定具１２の一側部材１２ａと他側部材１２ｂとを係合することにより、手提げ袋のレース飾りとする。
また、首紐５をカップ部３から外し、首紐５の一端に設けたフック９を係止部１０に引っ掛けると共に、首紐５を紐通し部１１に挿通し、ブラジャー本体１の中央部でリボン結びにすれば、手提げ袋のリボン飾りとなる。
【図面の簡単な説明】
【００１４】
【図１】本発明の実施例を示す手提げ袋兼用ブラジャーのブラジャー形態とした時の正面図。
【図２】本発明の実施例を示す手提げ袋兼用ブラジャーのブラジャー形態とした時の断面図。
【図３】本発明の手提げ袋兼用ブラジャーをブラジャーから手提げ袋への変形第１過程において一面から見た図。
【図４】本発明の手提げ袋兼用ブラジャーをブラジャーから手提げ袋への変形第１過程において他面から見た図。
【図５】本発明の手提げ袋兼用ブラジャーをブラジャーから手提げ袋への変形第２過程において他面から見た図。
【図６】手提げ袋形態とした本発明の手提げ袋兼用ブラジャーを一面から見た図。
【図７】手提げ袋形態とした本発明の手提げ袋兼用ブラジャーを他面から見た図。
【符号の説明】
【００１５】
１  ブラジャー本体
２  袋部
２ａ  左半部
２ｂ  右半部
３  カップ部
４  バック片
５  首紐
６  表布
７  裏布
８  固定具
９  フック
１０  係止部
１１  紐通し部
１２  固定具
１２ａ  一側部材
１２ｂ  他側部材
１３  スライドファスナー
１４  手提げ部
１５  ループ
【図１】
2008115502.tif 000003
【図２】
2008115502.tif 000004
【図３】
2008115502.tif 000005
【図４】
2008115502.tif 000006
【図５】
2008115502.tif 000007
【図６】
2008115502.tif 000008
【図７】
2008115502.tif 000009